(57)【要約】【課題】  本発明は、線香立て容器の灰の上に、転倒防止具を乗せることにより、火災を未然に防ぐことに関する線香転倒防止具を提供する。【解決手段】  支え柱（４）の上部に穴を設け、その中に上部側リングが挿入されているものを用いてその支え柱（４）の２段目の凹部に円形状の中部側リングの凸部と円形状の下部側リングの凸部を装着させることにより、円形状の上部側リング（１）、円形状の中部側リング（２）、円形状の下部側リング（３）、円形状の天板（５）により線香の転倒を防ぐことを特徴とする。【選択図】図１
2010214062.tif 000002
【特許請求の範囲】
【請求項１】
支え柱（４）に溝凹部を設け、円形状の天板（１）に溝凹部を設け、円形状の中板（２）に溝凹部を設け、円形状の底板（３）に溝凹部を設け、それぞれの溝凹部と溝凹部を組み合わせたところに固定具（５）を取り付けたことを特徴とする線香転倒防止具。
【請求項２】
支え柱（４）の下部側を上部側より幅をやや広くしたことを特徴とする請求項１記載の線香転倒防止具。
【請求項３】
支え柱（４）の下部側の先端を鋭角にしたことを特徴とする請求項１記載の線香転倒防止具。
【発明の詳細な説明】
【技術分野】
【０００１】  本発明は、線香立ての容器の灰の上に、転倒防止具を乗せることにより、線香の傾きや転倒を未然に防ぎ、火災を防止できるように工夫した線香転倒防止具に関するものである。
【背景技術】
【０００２】  従来、線香を燃やすときは、線香立て容器（６）と灰（７）と線香（８）を組み合わせて使っていた。
以上のような使い方だと、線香（８）が傾いたり、転倒する危険性があった。
【先行技術文献１】
実開平１−１１０６７４号公報
【発明の開示】
【発明が解決しようとする課題】
【０００３】  これは次のような欠点があった。
（イ）線香立て容器（６）と灰（７）と線香（８）を組み合わせて使っていた。
（ロ）たとえば、前日に、燃やした線香（８）のカスが灰（７）の中に混入していた。
（ハ）何度も使用したものは、灰（７）は固くなっていた。
（ニ）逆に、灰（７）を新しくすると灰（７）は、柔らかくなり過ぎていた。
（ホ）頻繁に線香を燃やすと、表面的には消えているが灰（７）の中で燃えていた。
連続的に同じところに線香を差し込むと線香の下の部分が燃えていた。
（イ）〜（ホ）のような条件が重なり、線香（８）が傾いたり、転倒する場合があった。
とくに、地震に対しては、火災の可能性が高くなっていた。
本発明は、以上のような欠点をなくするためになされたものである。
【課題を解決するための手段】
【０００４】  支え柱（４）に溝凹部を設け、円形状の天板（１）に溝凹部を設け、円形状の中板（２）に溝凹部を設け、円形状の底板（３）に溝凹部を設け、それぞれの溝凹部と溝凹部を組み合わせたところに固定具（５）を取り付ける。
支え柱（４）の下部側を上部側より幅をやや広くする。
支え柱（４）の下部側の先端を鋭角にする。
本発明は、以上の構成よりなる線香転倒防止具である。
【発明の効果】
【０００５】  円形状の上部側リング（１）、円形状の中部側リング（２）、円形状の下部側リング（３）、円形状の天板（５）により線香（８）の傾きや転倒を未然に防ぐことができる。
しかも、支え柱（４）は灰（７）の中に入り込んでいるため、少々の揺れや振動に対して頑強である。
上記の効果により火災や地震に対して有効である。
【発明を実施するための最良の形態】
【０００６】  以下、本発明を実施するための形態について説明する。
支え柱（４）に溝凹部を設け、円形状の天板（１）に溝凹部を設ける。
円形状の中板（２）に溝凹部を設ける。
円形状の底板（３）に溝凹部を設ける。
それぞれの溝凹部と溝凹部を組み合わせたところに固定具（５）を取り付ける。
支え柱（４）の下部側を上部側より幅をやや広くする。
支え柱（４）の下部側の先端を鋭角にする。
以上のように構成された線香転倒防止具である。
本発明の使い方を説明する。
図６は、線香立ての中に灰が挿入されている状態を示した説明図である。
図７は、本発明を線香立ての容器に定着させた状態を示した説明図である。
図８は、本発明の中に線香（８）を差し込んだ状態を示した説明図である。
図９は、線香に着火させて煙がでている状態を示した説明図である。
円形状の上部側リング（１）を上にして、支え柱（４）を円形状の上部側リング（１）に対して等分に配置、そうすることにより、この線香転倒防止具は直立姿勢となり、その上から、円形状の中部側リング（２）と円形状の下部側リング（３）、円形状の天板（５）を、支え柱（４）の凹部に差し込むことにより線香転倒防止具が完成する。
その後、線香立て容器（５）の中の灰（７）の上に、本発明した線香転倒防止具を置く。
その後、支え柱（４）の下の尖っている方を灰（７）の中に潜らせることにより、さらに強度が増し、縦揺れ、横揺れに対しても頑強になりより効果が得ることができる。
【実地例】
【０００７】  同じ形の線香立て容器と線香２個用意して検証を行った。
一方は、従来のやり方、一方は本発明した線香転倒防止具で検証を行った。
（イ）従来のやり方では、揺れや振動を与え続けると、線香（８）は傾き、さらに、振動  を与えると転倒寸前まで傾いた。
（ロ）円形状の天板（１）の中央に穴を設け、その穴の大きさは市販されている線香（８  ）、３本〜５本ぐらいの小さな穴である。
（ハ）支え柱（４）に溝凹部を設け、円形状の天板（１）に溝凹部を設け、円形状の中板  （２）に溝凹部を設け、円形状の底板（３）に溝凹部を設け、それぞれの溝凹部と溝凹  部を組み合わせたところに固定具（５）で定着させる。
（ニ）さらに、支え柱（４）が、灰（４）に沈ませているため安定する。
（ホ）上記の溝凹部と溝凹部の組み合わせ、固定具（５）にて定着化、支え柱（４）の先  端を灰（７）に沈ませている。
以上の実験の結果、線香転倒防止具は、たとえば、地震などの横揺れ、縦揺れに対して、有効な手段であることが確認できた。
しかも、組み立ても簡単である。持ち運びも便利である。
【図面の簡単な説明】
【０００８】
【図１】  （ａ）は、円形状の上部側リング、円形状の中部側リング、円形状の下部側リング円形状の天板の説明図である。（ｂ）は、支え柱の説明図である。
【図２】  （ａ）は、本発明の組み立てをするための説明図である。（ｂ）は、支え柱の説明図である。
【図３】  本発明の説明図である。
【図４】  本発明の説明図である。
【図５】  本発明の使用状態を示した説明図である。
【図６】  本発明の使用状態を示した説明図である。
【図７】  本発明の使用状態を示した説明図である。
【図８】  本発明の使用状態を示した説明図である。
【図９】  本発明の使用状態を示した説明図である。
【符号の説明】
【０００９】１  円形状の上部側リング
２  円形状の中部側リング
３  円形状の下部側リング
４  支え柱
５  円形状の天板
６  線香立て容器
７  灰
８  線香
【図１】
2010214062.tif 000003
【図２】
2010214062.tif 000004
【図３】
2010214062.tif 000005
【図４】
2010214062.tif 000006
【図５】
2010214062.tif 000007
【図６】
2010214062.tif 000008
【図７】
2010214062.tif 000009
【図８】
2010214062.tif 000010
【図９】
2010214062.tif 000011